(57)【要約】【課題】息のしやすさを維持したまま、着用したマスク本体と顔面との間に発生する隙間からの異物の侵入や呼気の漏出を抑制するマスク用補助具を提供する。【解決手段】本実施形態におけるマスク用補助具１は、衛生用マスクの着用を補助するマスク着用補助具であって、伸縮性及び柔軟性のあるシート材により形成された基部と、前記基部の厚み方向に設けられ、前記衛生用マスクのフィルターより小さい大きさである穴部とを有する。衛生用マスクのフィルターにマスク着用補助具１を重ねて着用した場合に、穴部の位置は、ユーザの鼻孔及び口唇のある位置に設けられる。前記基部は、布材又は発泡した合成樹脂材であり、内部又は表面に有害物質不活化剤を付着している。【選択図】図１
0003233117.tif 000002
【実用新案登録請求の範囲】
【請求項１】
衛生用マスクの着用を補助するマスク着用補助具であって、
柔軟性のあるシート材により形成された基部と、
前記基部の厚み方向に設けられ、前記衛生用マスクのフィルターより小さい大きさである穴部と
を有し、
前記衛生用マスクのフィルターに前記マスク着用補助具を重ねて着用した場合に、前記穴部の位置は、ユーザの鼻孔及び口唇のある位置に設けられる
マスク着用補助具。
【請求項２】
前記基部は、布材又は発泡した合成樹脂材であり、
前記基部は、内部又は表面に有害物質不活化剤を付着している
請求項１に記載のマスク着用補助具。
【請求項３】
前記衛生用マスクのフィルターに前記基部を重ね合わせた状態で、フィルターに対して当該基部を着脱自在に固定する固定部
をさらに有する
請求項１または２に記載のマスク着用補助具。
【請求項４】
前記基部は、伸縮性のあるシート材であり、
前記基部の両側にそれぞれ設けられ、伸縮性のあるシート材又は紐材により形成された耳掛部  
をさらに有し、
前記耳掛部は、前記基部と一体的に形成されている
請求項１から３のいずれか１項に記載のマスク着用補助具。
【請求項５】
前記基部は、伸縮性の異なる第１の領域及び第２の領域を含み、
前記第１の領域は、前記第２の領域を囲うと共に隣接し、
前記第２の領域は、第１の領域より伸縮性がある領域であり、前記衛生用マスクのフィルターに前記マスク着用補助具を重ねて着用した場合に、ユーザの鼻部及び顎部に位置する
請求項４に記載のマスク着用補助具。
【考案の詳細な説明】
【技術分野】
【０００１】
本考案は、マスク着用補助具に関するものである。
【背景技術】
【０００２】
例えば、特許文献１には、外側からプレフィルタ、メインフィルタ及び保形フィルタの順に積層され、鼻部及び口部を覆うふくらみを有し、プレフィルタ及びメインフィルタが保形フィルタの外縁部に固着されたフィルタ部と、該保形フィルタの下部周縁全周にわたり伸縮可能な折り曲げ部が設けられている接顔部を有することを特徴とする使い捨て式防じんマスクが開示されている。
また、特許文献２には、糸や布に金属酸化物の微粒子を高温高圧で混ぜ込む、あるいは高温高圧で練り込んだ純綿素材の布や糸から作られる抗菌、抗ウィルス効果と消臭効果を特徴とする洗濯することのできるマスクインナーが開示されている。
【先行技術文献】
【特許文献】
【０００３】
【特許文献１】特開２０１２−１００９７５号公報
【特許文献２】実用新案登録第３２２７４４４号公報
【考案の概要】
【考案が解決しようとする課題】
【０００４】
本考案は、着用した衛生用マスクをユーザの顔面形状にフィットさせるマスク着用補助具を提供することを目的とする。
【課題を解決するための手段】
【０００５】
本考案に係るマスク着用補助具は、衛生用マスクの着用を補助するマスク着用補助具であって、柔軟性のあるシート材により形成された基部と、前記基部の厚み方向に設けられ、前記衛生用マスクのフィルターより小さい大きさである穴部とを有し、前記衛生用マスクのフィルターに前記マスク着用補助具を重ねて着用した場合に、前記穴部の位置は、ユーザの鼻孔及び口唇のある位置に設けられる。
【０００６】
好適には、前記基部は、布材又は発泡した合成樹脂材であり、前記基部は、内部又は表面に有害物質不活化剤を付着している。
【０００７】
好適には、前記衛生用マスクのフィルターに前記基部を重ね合わせた状態で、フィルターに対して当該基部を着脱自在に固定する固定部をさらに有する。
【０００８】
好適には、前記基部は、伸縮性のあるシート材であり、前記基部の両側にそれぞれ設けられ、伸縮性のあるシート材又は紐材により形成された耳掛部をさらに有し、前記耳掛部は、前記基部と一体的に形成されている。
【０００９】
好適には、前記基部は、伸縮性の異なる第１の領域及び第２の領域を含み、前記第１の領域は、前記第２の領域を囲うと共に隣接し、前記第２の領域は、第１の領域より伸縮性がある領域であり、前記衛生用マスクのフィルターに前記マスク着用補助具を重ねて着用した場合に、ユーザの鼻部及び顎部に位置する。
【考案の効果】
【００１０】
本考案によれば、着用した衛生用マスクをユーザの顔面形状にフィットさせ、フィルターと顔面との隙間を抑制することができる。
【図面の簡単な説明】
【００１１】
【図１】実施例１におけるマスク着用補助具１を例示する図である。
【図２】衛生用マスクに重ねたマスク着用補助具１を例示する図ある。
【図３】実施例１におけるマスク着用補助具１の使用状態を例示する斜視図である。
【図４】実施例２におけるマスク着用補助具１００を例示する図である。
【図５】実施例３におけるマスク着用補助具２００を例示する図である。
【図６】実施例１における変形例を例示する図である。
【考案を実施するための形態】
【００１２】
まず、本考案がなされた背景を説明する。
衛生用マスク（以下、マスクと略記することもある）には、冷気や乾燥から鼻やのどを守る、口や鼻からの分泌物を撒き散らすのを防ぐ、或いは、空気中の花粉や病原体などの浮遊物が体内に取り込まれるのを防ぐ、などの効用がある。
現在、上記マスクにおいて、フィルター形状が長方形状である不織布タイプが一般的である。不織布タイプのマスクは、フィルターの長手方向に沿ったプリーツが短手方向に複数設けられており、着用時において、マスク本体の中央部分を摘まんで上下方向に引っ張ると、閉じた状態のプリーツが徐々に拡げられ、鼻部分から顎部分までをカバーすることができる。
【００１３】
しかし、不織布製のマスクは各個人で異なる顔の輪郭に十分に追従することができず、フィルターと顔面との間に隙間が発生するため、フィルターの上下および左右から異物が侵入したり、呼気が漏出したりするなど、気密性が十分確保できない欠点を有する。マスクの上下および左右の隙間の発生は、マスク正面方向、つまりフィルターを通過する空気の量が減ることとなり、マスク本来のろ過機能を十分に発現できない原因となり、大きな課題となっている。
【００１４】
例えば、特許文献１には、立体形状ではなく、本体に柔軟部分を設け、本体と顔面を密着させる使い捨て式防じんマスクが提案されている。特許文献１に記載のマスクは、マスク面体における保形フィルタの下部周縁全周に伸縮可能な折り曲げ部を設けることで、顔面への密着性と装着感を向上させるものである。しかしながら、特許文献１に記載のマスクは、保形フィルタの折り曲げ部として、所定の硬さを有する合成樹脂繊維からなる不織布を使用している。このため、保形フィルタは、各個人の顔のサイズの大小や、顔面の複雑な起伏に密着する柔軟さを有することができず、マスクの装着感に課題が残る。さらにその構造上、マスク本体が大仰な見た目となり、日常生活で使うには不向きである。
【００１５】
また、特許文献２には、衛生マスクと顔面の間にマスクインナーを付けて利用し、ウィルスの捕集効率を向上させるマスクインナーが提案されている。しかしながら、特許文献２に記載のマスクインナーは、口および鼻孔が覆われるため、マスク本体のみの場合と比較して口および鼻への通気性が低下してしまう。通気性の低下は、着用者の息苦しさにつながるだけでなく、マスクの上下および左右からの空気の流れが促進されてしまい、マスク本来のろ過性能をかえって低下させてしまうおそれもある。
【００１６】
そこで、上記事情を一着眼点にして本考案の実施形態を創作するに至った。本考案の実施形態によれば、衛生用マスクをユーザの顔面形状にフィットさせ、フィルターと顔面との隙間を抑制することにより、息のしやすさを維持したまま、着用したマスクと顔面との間に発生する隙間からの異物の侵入や呼気の漏出を抑制するすることが可能である。
以下、このような本考案の実施形態によるマスク着用補助具を図面を参照して説明する。なお、以下に説明する実施の形態は、いずれも本考案の一具体例を示すものである。したがって、以下の実施の形態における構成要素のうち独立請求項に記載されていない構成要素については、任意の構成要素として説明される。また、本考案は、以下の態様のみに限定されるものではなく、本考案の精神と実施の範囲において多くの変形が可能である。
【００１７】
まず、実施例１におけるマスク着用補助具１を説明する。
［実施例１］
図１及び図２を参照し、本実施例のマスク着用補助具１の構成を説明する。
図１は、実施例１におけるマスク着用補助具１を例示する図である。
図２は、衛生用マスクに重ねたマスク着用補助具１を例示する図あり、図２（Ａ）は、プリーツを閉じた状態の衛生用マスクに重ねたマスク着用補助具１を例示する図であり、図２（Ｂ）は、プリーツを開いた状態の衛生用マスクに重ねたマスク着用補助具１を例示する図である。
図１及び図２に例示するように、マスク着用補助具１は、補助具基部１０と、穴部１２と、耳掛部２０と、固定部３０とを有する。
補助具基部１０は、本発明に係る基部の一例であり、伸縮性及び柔軟性のあるシート材により形成され、シート材の厚み方向に穴部１２を設けた基礎となる部材である。補助具基部１０は、所定の幅のシート材を環状に形成した部材である。補助具基部１０は、例えば、布材、又は、発泡した合成樹脂材で形成される。
補助具基部１０の基材に布材を用いる場合、布を構成する繊維素材としては、特に限定されるものではない。例えば、ポリエステル、ナイロン、アクリル、ポリウレタン、ポリビニルアルコール、エチレン−ビニルアルコール共重合体（ＥＶＯＨ）、ポリエチレンやポリプロピレンなどのポリオレフィン、または、アセテートやキュプラ、ビスコースなどのレーヨンなどがあり、さらに、これらの他に、ポリ乳酸、芳香族ポリアミド、ポリイミドまたはポリフェニレンサルファイドなどの化学繊維、綿、麻、絹または羊毛などの天然繊維、あるいは、これらの素材の混繊、混紡、または交編品、さらに芯鞘構造を有する繊維を用いることができる。
特に、ナイロンやポリビニルアルコールなどの吸湿性を有する機能性素材を用いると、呼気に含まれる水分を吸湿し、マスク内のムレ感を抑制できる効果が得られ好ましい。また、ポリウレタンなどの弾性を有する機能性素材を用いることで、マスク用補助具にストレッチ性を付与でき、装着のしやすさ、および顔面への密着性を向上させられるため好ましい。前記吸湿性素材と弾性を有する素材とを混繊や混紡などで双方とも用いることがより好ましい。
【００１８】
また、布材を構成する繊維としては、長繊維および短繊維のいずれであってもよい。また、この繊維を用いた糸は、生糸、撚糸、および加工糸のいずれであってもよい。加工糸についても、特に限定されるものではなく、仮撚加工糸（ウーリー加工糸、ＤＴＹ、改良仮撚加工糸など）、押込加工糸、賦型加工糸、擦過加工糸、タスラン加工糸、糸長差引きそろえ加工糸、複合加工糸、毛羽加工糸、交絡集束糸、交絡混繊糸、などを用いることができる。また、繊維の断面形状についても、特に限定されるものではなく、丸型、三角、星形、扁平、Ｃ型、中空、井形、ドックボーンなどが挙げられる。
【００１９】
また、布材の組織としては、平織、綾織、朱子織などの組織である織物、経編、緯編（横編または丸編）などの組織である編物、又は、不織布といった、いかなる形態であってもよい。なお、布材の組織としては、マスク用補助具１にストレッチ性を付与でき、装着のしやすさ、および顔面への密着性を向上させられるとの観点から、編物であることが好ましい。また、補助具基部１０は、環状であり、マスク用補助具の強度の観点から幅０．５ｃｍ以上４ｃｍ以下であることが好ましい。なお、本例の補助具基部１０は、編組織である布材である。
【００２０】
また、補助具基部１０は、所期の目的を逸脱しない限りにおいて、染料や顔料などの着色剤、酸化チタンなどの艶消し剤、酸化防止剤、安定剤、着色防止剤、難燃剤、帯電防止剤、耐熱剤、抗菌防臭剤、制菌剤、抗ウイルス剤、ＳＲ剤、無機粒子、染色助剤、保湿剤、吸湿剤、撥水剤、香料などの各種機能性剤が、基材に内添、または基材表面に付着されていてもよい。前記機能性剤は、単独で用いてもよく、複数組み合わせて用いてもよく、付着量向上や付着した剤の脱離を防ぐ目的のバインダーと組み合わせてもよい。
【００２１】
特に、基材表面には、消臭剤、抗菌剤、抗ウイルス剤、抗アレル物質などの有害物質不活化剤が付着していることが好ましい。具体的には、硫酸アルミニウムや酸化亜鉛などの両性物質、銀や銅などの貴金属およびそれらをゼオライトや活性炭などに担持した粒子、ジンクピリチオン、タンニン酸、酸化チタンや酸化タングステンなどの光触媒などである。前記有害物質不活化剤は、単独で用いてもよく、複数組み合わせて用いてもよく、付着量向上や付着した剤の脱離を防ぐ目的のバインダーと組み合わせることが好ましい。なお、本例の補助具基部１０は、基材である布材表面に消臭剤、抗菌剤、抗ウイルス剤、抗アレル物質などの有害物質不活化剤が付着している。
【００２２】
また、補助具基部１０の基材表面に機能性剤を付着させる方法としては、水に機能性剤や着色剤、およびバインダーなどの助剤を、溶解または分散させた処理液を作製し、前記基材に浸漬、噴霧、塗付などで処理液を与え、脱水や乾燥して機能性剤を基材表面へ付着させればよい。バインダーを併用する場合は、熱処理や活性エネルギー線照射による架橋促進、湿熱処理によるグラフト重合などを行ってもよい。前記の各種加工を複数行う場合は、処理液中に機能性剤を複数添加して一括で加工してもよいし、処理液を別々に準備して段階的に加工してもよい。
【００２３】
穴部１２は、補助具基部１０の厚み方向に設けた貫通穴である。穴部１２は、図２（Ｂ）に例示したように、衛生用マスクのフィルターにマスク用補助具１を重ねて着用した場合に、ユーザの鼻孔及び口唇のある位置に設けられる。穴部１２は、マスク着用補助具１を着用したユーザの鼻孔および口唇の半分の大きさより大きく、図２（Ａ）及び図２（Ｂ）に例示した衛生用マスクのフィルターより小さい大きさである。なお、穴部１２の大きさが鼻孔および口唇の大きさより小さい場合、補助具基部１０により、鼻孔及び口唇の少なくとも一部が塞がれるが、鼻呼吸や口呼吸をする際にマスク用補助具１が呼吸の障害にならない程度であればよい。ここで、本例の衛生用マスクのフィルターは、一般的な大人用不織布マスクの長方形形状のフィルターであり、例えばプリーツを閉じた状態で縦１０ｃｍ、横１８ｃｍの大きさである。なお、本例の穴部１２は、例えば、ユーザの両口角を結んだ仮想線を底辺とし、鼻の先端と口唇とを結んだ仮想線を高さとする、底辺８ｃｍ、高さ５ｃｍの二等辺三角形が内包できる大きさ以上であり、プリーツを閉じたの長方形のフィルターに内包されるサイズ未満であるとも換言できる。もちろん、着用する人の顔のサイズ、重ね合せるマスクのフィルターサイズに合わせ、穴部１２の大きさを適宜設定すればよい。
【００２４】
耳掛部２０は、補助具基部１０の両側にそれぞれ設けられ、伸縮性のあるシート材又は紐材により形成された部材である。本例の耳掛部２０は、図１に例示した補助具基部１０の一方を耳掛部２０Ａと称呼し、補助具基部１０の他方を耳掛部２０Ｂと称呼する。なお、とりわけ区別する必要が無い場合は単に耳掛部２０と称呼する。耳掛部２０は、補助具基部１０と同様の伸縮性のある編物であり、一方を補助具基部１０の上端側に接続し、他方を補助具基部１０の下端に接続しているため、補助具基部１０と一体的に形成される。
また、耳掛部２０は、補助具基部１０に接着剤等による接合、縫合、熱融着であってもよいし、補助具基部１０端部に設けた紐通穴に紐を通す形態でもよい。また、型抜きや無縫製編立などで補助具基部１０と一体的に形成してもよい。なお、耳掛部２０は、補助具基部１０と一体的に形成されていることが最も好ましい。これにより、気密性を向上させる効果をさらに強く発現させられると同時に、耳掛部２０を耳にかけて着用した際の違和感を低減できる。
【００２５】
固定部３０は、補助具基部１０の上部及び下部などの位置に任意に設けられ、重ねて着用した状態において、衛生用マスクのフィルターとの位置ずれを防止する固定部材である。固定部３０は、衛生用マスクのフィルターに補助具基部１０を重ね合わせた状態で、フィルターに対して補助具基部１０を着脱自在に固定する。固定部３０は、例えばワイヤー、両面テープ、面ファスナー、又はクリップ等である。なお、本例の固定部３０は、ワイヤーであり、例えば補助具基部１０の上部の場合、鼻の外形に合わせて変形することで、補助具基部１０及びフィルターを密着させ、補助具基部１０の下部の場合、顎の外形に合わせて変形することで、補助具基部１０及びフィルターを密着させる。なお、固定部３０は、省略することができる。
【００２６】
図３は、実施例１におけるマスク着用補助具１の使用状態を例示する斜視図である。
図３に例示するように、ユーザは、衛生用マスクの外側に重ねてマスク着用補助具１を着用する。ユーザは、衛生用マスクのフィルターにマスク着用補助具１の補助具基部１０を重ねた状態で、耳掛部２０を耳に掛けてマスク着用補助具１を着用する。このとき、ユーザの鼻孔及び口唇の位置に穴部１２が位置するよう配置して着用する。
着用時のマスク着用補助具１において、補助具基部１０及び耳掛部２０は、全体的に引っ張られ伸長し、マスクのフィルター周縁をユーザの顔面に対して押圧する。これにより、マスク着用補助具１は、マスクのフィルターとユーザの顔面との間の隙間が適切に塞がれるため、フィルターで覆われた空間内の気密性が向上すると共に、フィルターとのずれを抑制する。
また、マスク着用補助具１は、鼻孔及び口唇の位置に穴部１２が位置しているため、鼻および口への通気性は変わらない。これによりユーザの息のしやすさは維持されたままマスク全体の気密性を向上させられる。
このように、マスクのフィルターとユーザの顔面との間の隙間を抑制することで、マスク本来のろ過機能を十分に発揮させることができる。
なお、本例の補助具基部１０の大きさは、フィルターにマスク着用補助具１を重ねた場合に、補助具基部１０がフィルターの外縁より内側に位置しているが、これに限定するものではなく、フィルターの外縁が補助具基部１０と重なる位置にあり、補助具基部１０がフィルターの外縁より外側にはみ出していてもよい。着用時の見栄えの観点から、着用時にフィルターから補助具基部１０がはみ出さないサイズが好ましい。
【００２７】
次に、実施例２におけるマスク着用補助具を説明する。なお、本例では、上記実施例１と実質的に同一の機能、構成を有する要素については、同一の符号を付することにより重複説明を省略する。
［実施例２］
図４は、実施例２におけるマスク着用補助具１００を例示する図である。
上記実施例１では、布材で形成したマスク着用補助具１を説明したが、本例のマスク着用補助具１００は、発泡させた合成樹脂材で形成してなる。
図４に例示するように、マスク着用補助具１００の基材に発泡させた合成樹脂材を用いる場合、例えば、発泡ポリエチレン、発泡ゴム、発泡メラミン樹脂、発泡ポリウレタン、海綿などが挙げられる。特に、肌ざわりの観点から、発泡ポリウレタンまたは海綿を用いることが好ましく、エーテル系発泡ポリウレタンまたは海綿を用いることがより好ましい。海綿は入手が困難であるとの観点から、エーテル系発泡ポリウレタンを用いることが特に好ましい。なお、本例のマスク着用補助具１００は、エーテル系発泡ポリウレタンシート材で形成してなる。
マスク着用補助具１００は、例えば打抜きにより、同じ形状である２枚のエーテル系発泡ポリウレタンシート材（シート片１０１及び１０２）を形成し、例えば鼻の先端から顎にかけてのライン（マスク用補助具１の中央ライン）で接合し、立体的な形状に形成される。
【００２８】
次に、実施例３におけるマスク着用補助具を説明する。なお、本例では、上記実施例１と実質的に同一の機能、構成を有する要素については、同一の符号を付することにより重複説明を省略する。
［実施例３］
図５は、実施例３におけるマスク着用補助具２００を例示する図である。図５（Ａ）は、実施例３のマスク着用補助具２００の表側を例示する図であり、図５（Ｂ）は、実施例３のマスク着用補助具２００の裏側を例示する図である。また、図５（Ｃ）は、衛生用マスクに重ねた実施例３のマスク着用補助具２００を例示する図である。
上記実施例１では、補助具基部１０及び耳掛部２０を一体的に形成したマスク着用補助具１を説明したが、本例のマスク着用補助具２００は、耳掛部２０を除いた構成である。
図５（Ａ）及び図５（Ｂ）に例示するように、本例のマスク着用補助具２００は、補助具基部１０、穴部１２、及び、固定部３０を有し、耳掛部２０を除いた構成である。
補助具基部１０は、メッシュ状の編組織である第１層と、第１層と異なる他の編組織である第２層と、第１層と第２層との間に位置し連結する、立体メッシュ構造である第３層とにより構成された３層構造のシート材（ダブルラッセル）である。補助具基部１０のうち、図５（Ｂ）に例示した第２層の表面には、固定部３０が設けられる。固定部３０は、マスクのフィルター表面に引っ掛かる程度に、第２層の表面を毛羽立たせ構成となっている。これにより、発話や運動などの口の動きによってマスク着用補助具１０２がフィルターからずれてしまうことを抑制することができる。
【００２９】
次に、本実施形態のマスク着用補助具について、実施例１〜３のマスク着用補助具の呼気の漏れ試験を行い、呼気の漏れ具合の評価を行った。以下、その詳細を説明する。なお、本考案は、これらの実施例に限定されるものではなく、本考案の目的を逸脱しない範囲で変更を施すことは、全て本考案の技術的範囲に含まれる。
（呼気の漏れ試験）
眼鏡を掛けている被験者に、ポリプロピレン不織布製のマスク（セピコ・レギュラーマスク、リンテクト・ジャパン株式会社製、マスクフィルターサイズ縦９５ｍｍ×横１７５ｍｍ）とマスク着用補助具とを重ねた状態で着用してもらう。そして、被験者は、５℃×４０％ＲＨの環境試験室中でルームランナー上を６ｍ／ｍｉｎの速度で１５分間の歩行を行った。その結果、眼鏡が曇ったかどうかで呼気の漏れがあったかどうかを判定した。なお、「％」は、「質量％」を意味する。
【００３０】
（実施例１）
５０ｄｔｅｘのポリウレタン弾性糸に７９ｄｔｅｘのナイロン糸２本を巻き付けたダブルカバリングヤーン糸（混率：ポリウレタン１２％、ナイロン８８％）を、株式会社島精機製作所製のよこ編機であるＭＡＣＨ２ＸＳ１２３にセットし、糸を切らず一体的に編成し、編成した生地を銀ゼオライト０．６％、およびシリコーン系バインダー０．０５％の水分散液中に浸漬させ、その後、脱水および乾燥することで、銀が担持されたゼオライト粒子を繊維表面に付着させ、図１に例示した形状のマスク着用補助具１を得た。このようにして得られたマスク着用補助具１を、マスクの外側から重ねて着用してもらい、上記試験を実施した。
（呼気の漏れ具合の評価）
その結果、被験者は、眼鏡の曇りが発生しないと判定した。これにより、マスクと顔面との間の隙間を抑制したことで、マスクからの呼気漏れが抑制され、曇りが発生しなかったと考えられる。また、マスク着用補助具がマスクからずれてしまうこともなかった。
【００３１】
（実施例２）
エーテル系ポリウレタンのＮ，Ｎ−ジメチルホルムアミド（ＤＭＦ）溶液を、水中に浸漬してポリウレタン中のＤＭＦを水に置換することで、エーテル系発泡ポリウレタンからなるスポンジブロックを作成し、作成したブロックを厚さ１．５ｍｍにスライスしてシート材を銀ゼオライト０．６％、およびシリコーン系バインダー０．０５％の水分散液中に浸漬させ、その後、脱水および乾燥することで、銀が担持されたゼオライト粒子を繊維表面に付着させる。そして、シート材を打抜きし、得られたピース２枚の所定の位置を熱融着させることで、図４に例示した形状のマスク着用補助具１００を得た。このようにして得られたマスク用補助具１００を、着用時においてマスクの内側に配置し、マスクと顔面との間に位置する形態で着用してもらい、上記試験を実施した。
（呼気の漏れ具合の評価）
その結果、被験者は、眼鏡の曇りが発生しないと判定した。これにより、マスクと顔面との間の隙間を抑制したことで、マスクからの呼気漏れが抑制され、曇りが発生しなかったと考えられる。また、マスク用補助具がずれてしまうこともなかった。
【００３２】
（実施例３）
ダブルラッセル編機を用いて、１１０ｄｔｅｘのポリエステル糸からなるメッシュ状の地組織である第１層と、５５ｄｔｅｘのポリエステル糸からなる第２層と、２２ｄｔｅｘのポリエステル糸からなる無地の第３層とにより構成された３層構造のポリエステル製ダブルラッセル編地を編成し、編成した生地を銀ゼオライト０．６％、およびシリコーン系バインダー０．０５％の水分散液中に浸漬させ、その後、脱水および乾燥することで、銀が担持されたゼオライト粒子をシート材表面に付着させた。そして、外形サイズ縦９ｃｍ×横１４ｃｍの長方形、中央の穴のサイズ縦８ｃｍ×横１２ｃｍの長方形に打抜き、図５に例示したマスク着用補助具２００を得た。このようにして得られたマスク着用補助具２００を、着用時においてマスクの内側に配置し、マスクと顔面との間に挟持する形態で着用してもらい、上記試験を実施した。
（呼気の漏れ具合の評価）
その結果、被験者は、眼鏡の曇りが発生しないと判定した。これにより、マスクと顔面との間の隙間を抑制したことで、マスクからの呼気漏れが抑制され、曇りが発生しなかったと考えられる。
【００３３】
（比較例）
マスク着用補助具を用いずに、不織布マスクのみで上記試験を実施した。
（呼気の漏れ具合の評価）
その結果、被験者は、眼鏡の曇りが発生したと判定した。試験開始から１０秒で眼鏡の曇りが発生したことを確認した。マスクと顔面との間の隙間があるため、この隙間から呼気が漏れていると考えられる。
このように、実施例１〜３及び比較例によれば、マスクに重ねてマスク着用補助具を着用することによりマスクのみの場合と比べて、マスクのフィルターをユーザの顔面に密着させることができる。
【００３４】
以上説明したように、本実施形態におけるマスク着用補助具によれば、様々なユーザであっても、マスクのフィルターとユーザの顔面とをより密着させるので、マスクのフィルターとユーザの顔面との間の隙間を塞ぐことができる。これにより、フィルターで覆われた空間内の気密性が向上する。また、マスク着用補助具に耳掛部がある場合、フィルターとのずれを効率的に抑制することができる。
【００３５】
次に、上記実施例における変形例を説明する。
なお、変形例では、上記実施例と実質的に同一の機能、構成を有する要素については、同一の符号を付することにより重複説明を省略する。
［変形例］
図６は、実施例１における変形例を例示する図である。図６（Ａ）は、マスク着用補助具３００の表側を例示する図であり、図６（Ｂ）は、マスク着用補助具３００の裏側を例示する図である。
本例のマスク着用補助具３００は、補助具基部１０と、穴部１２と、耳掛部２０とを有し、固定部３０を省いている。
補助具基部１０は、伸縮性のあるストレッチ生地であり、伸縮性の異なる第１伸縮生地１０Ａ、及び、第２伸縮生地１０Ｂを含む。第１伸縮生地１０Ａ、及び、第２伸縮生地は、伸縮性の異なる２種類の生地を組み合わせてもよいし、生地の厚みを変えて伸縮性を変えてもよい。なお、本例の第１伸縮生地１０Ａ、及び、第２伸縮生地１０Ｂは、生地の厚みを変えることで伸縮性を変えており、図６（Ａ）に例示した表側では段差のない面を採用し、図６（Ｂ）に例示した裏側では段差のある面を採用している。補助具基部１０の裏側は、衛生用マスクのフィルターと接触する面である。
【００３６】
第１伸縮生地１０Ａは、本発明に係る第１の領域の一例であり、第２伸縮生地１０Ｂより伸縮性の高い生地部分であり、第２伸縮生地１０Ｂよりキックバック（生地を伸ばした状態から伸ばす前の状態に戻る力）が強い。第１伸縮生地１０Ａは、第２伸縮生地１０Ｂの周りを囲うと共に隣接している。
【００３７】
第２伸縮生地１０Ｂは、本発明に係る第２の領域の一例であり、第１伸縮生地１０Ａより伸縮性の低い生地部分であり、第１伸縮生地１０Ａよりキックバックが弱い。また、第２伸縮生地１０Ｂは、衛生用マスクのフィルターにマスク着用補助具３００を重ねて着用した場合に、ユーザの鼻側に第２伸縮生地１０Ｂ１が位置し、顎側に第２伸縮生地１０Ｂ２が位置する。なお、第２伸縮生地１０Ｂ１および第２伸縮生地１０Ｂ２は、実質的に同様の構成であり、特に区別する必要がない場合は、単に第２伸縮生地１０Ｂと称呼する。第２伸縮生地１０Ｂは、ユーザの顔面のうち、顔面から突出する鼻部及び顎部にあたる位置に配置される。第２伸縮生地１０Ｂは、伸びた状態において、鼻部及び顎部の凹凸形状に追従する。
【００３８】
このように、マスク着用補助具３００は、鼻部及び顎部にあたる位置に、第１伸縮生地１０Ａよりキックバックが弱い第２伸縮生地１０Ｂを配置することにより、鼻部及び顎部の形状にフィットする。これにより、衛生用マスクのフィルターを鼻部及び顎部に密着させ隙間を防止できる。さらに、マスク着用補助具３００は、第１伸縮生地１０Ａで第２伸縮生地１０Ｂの周りや補助具基部１０の周縁を形成することにより、衛生用マスクのフィルターを頬部の形状に密着させることができるため、顔とフィルターとの隙間を防止できる。
【符号の説明】
【００３９】
１、１００、２００、３００    マスク着用補助具
１０      補助具基部
１２      穴部
２０      耳掛部
３０      固定部
１０Ａ    第１伸縮生地
１０Ｂ    第２伸縮生地
【図１】
0003233117.tif 000003
【図２】
0003233117.tif 000004
【図３】
0003233117.tif 000005
【図４】
0003233117.tif 000006
【図５】
0003233117.tif 000007
【図６】
0003233117.tif 000008